(57)【特許請求の範囲】
【請求項１】
レーザー吸収層と熱接着性樹脂層を有する積層体からなり側端熱接着部と端縁熱接着部により形成された包装袋であって、積層体の前記レーザー吸収層に２箇所の熱接着部の内端間を結ぶ開封用の切目線が形成され、前記切目線の端部が外側に向かって開く二股状切目とされ、少なくとも一方の熱接着部の開封を開始する端縁に切込が形成され、前記二股状切目の端縁が前記切込が形成された熱接着部の内端よりも内側に位置するように形成され、前記切込が前記二股状切目の二股の広がり幅内に入るように形成された構成からなることを特徴とする易開封性包装袋。
【請求項２】
レーザー吸収層と熱接着性樹脂層を有する積層体からなり合掌熱接着部と端縁熱接着部により形成された包装袋であって、積層体の前記レーザー吸収層に前記合掌熱接着部と交差する方向に延びる開封用の切目線が形成され、前記切目線の端部が外側に向かって開く二股状切目とされ、前記合掌熱接着部の開封を開始する端縁に切込が形成され、前記二股状切目の端縁が前記切込が形成された熱接着部の内端よりも内側に位置するように形成され、前記切込が前記二股状切目の二股の広がり幅内に入るように形成された構成からなることを特徴とする易開封性包装袋。
【請求項３】
前記開封用の切目線が前記合掌熱接着部の方向に対して前記端縁熱接着部側に斜めに形成されていることを特徴とする請求項２に記載の易開封性包装袋。
【請求項４】
レーザー吸収層と熱接着性樹脂層を有する積層体からなり、側端熱接着部および端縁熱接着部により形成された包装袋であって、一方の側端熱接着部の内端と一方の端縁熱接着部の内端間に斜め方向に延びる、両端部または一方の端部が外側に向かって広がる二股状切目とされた直線状の切目線が形成され、二股状切目の二股の広がり幅内に入るように前記側端熱接着部の端縁および／または前記端縁熱接着部の端縁に切込が形成された構成からなることを特徴とする易開封性包装袋。
【発明の詳細な説明】
【０００１】
【発明の属する技術分野】
本発明は、切込の箇所から引き裂きを開始し切目線に沿って簡単に引き裂いて開封することができる易開封性包装袋に関する。
【０００２】
【従来の技術】
従来、積層体からなる易開封性包装袋においては、積層体に切目線等の開封手段を形成するとともに、切目線等の開封手段の端縁の位置に引き裂きを開始するための切込を形成した構成のものが知られている。
しかしながら、この構成の易開封性包装袋では、切目線等の開封手段を形成する工程と、切目線等の開封手段の端縁の位置に切込を形成する工程が別工程であるために、切目線等の開封手段の位置と切込の位置にズレが生じやすく、切目線等の開封手段の位置と切込の位置にズレが生じた場合には、切込の箇所から引き裂きを開始しても切目線等の開封手段に沿って積層体を引き裂いて開封するのが困難になるという欠点がある。
【０００３】
【発明が解決しようとする課題】
本発明は、切込の箇所から引き裂きを開始し切目線に沿って引き裂いて簡単に開封することができる易開封性包装袋を提供することである。
【０００４】
【課題を解決するための手段】
レーザー吸収層と熱接着性樹脂層を有する積層体からなり側端熱接着部と端縁熱接着部により形成された包装袋であって、積層体のレーザー吸収層に２箇所の熱接着部の内端間を結ぶ開封用の切目線が形成され、切目線の端部が外側に向かって開く二股状切目とされ、少なくとも一方の熱接着部の開封を開始する端縁に切込が形成され、二股状切目の端縁が切込が形成された熱接着部の内端よりも内側に位置するように形成され、切込が二股状切目の二股の広がり幅内に入るように形成された構成とすることにより、切目線と切込の位置にズレが生じた場合でも、そのズレが二股状切目の二股の広がり幅内であれば、切込の箇所から熱接着部を引き裂き、裂け目が二股状切目と交差した部分から切目線に沿って引き裂くことができるので、４方シール袋ないしは３方シール袋を１辺に沿って切り取り開封するか、ないしは角部を斜めに切り取って開封することができる。
【０００５】
レーザー吸収層と熱接着性樹脂層を有する積層体からなり合掌熱接着部と端縁熱接着部により形成された包装袋であって、積層体のレーザー吸収層に合掌熱接着部と交差する方向に延びる開封用の切目線が形成され、切目線の端部が外側に向かって開く二股状切目とされ、合掌熱接着部の開封を開始する端縁に切込が形成され、二股状切目の端縁が切込が形成された熱接着部の内端よりも内側に位置するように形成され、切込が二股状切目の二股の広がり幅内に入るように形成された構成とすることにより、切目線と切込の位置にズレが生じた場合でも、そのズレが二股状切目の二股の広がり幅内であれば、切込の箇所から合掌熱接着部を引き裂き、裂け目が二股状切目と交差した部分から切目線に沿って引き裂くことができる。したがって、ピロータイプ袋を合掌熱接着部の切込の箇所から引き裂きを開始して合掌熱接着部と交差する方向に開封することができる。
【０００６】
上記易開封性包装袋において、二股状切目の端縁が切込が形成された熱接着部の内端よりも内側に位置するように形成された構成とすることにより、熱接着部に二股状切目が形成されないので、積層体のレーザー吸収層が熱接着性樹脂層に隣接して積層され、レーザー吸収層に切目が形成されることにより切目の部分が凹溝となって外部と連通する隙間が出やすい積層体の構成であっても、包装袋のガスバリヤー性が低下することがない。また、請求項３記載の発明は、請求項２に記載の易開封性包装袋において、開封用の切目線が合掌熱接着部の方向に対して端縁熱接着部側に斜めに形成されていることを特徴とするものである。請求項４記載の発明は、レーザー吸収層と熱接着性樹脂層を有する積層体からなり、側端熱接着部および端縁熱接着部により形成された包装袋であって、一方の側端熱接着部の内端と一方の端縁熱接着部の内端間に斜め方向に延びる、両端部または一方の端部が外側に向かって広がる二股状切目とされた直線状の切目線が形成され、二股状切目の二股の広がり幅内に入るように側端熱接着部の端縁および／または端縁熱接着部の端縁に切込が形成された構成からなることを特徴とする易開封性包装袋である。
【０００７】
【発明の実施の形態】
以下、図面に基づいて本発明の実施の形態を説明する。
図１は本発明の第１実施形態を示す平面図、図２は本発明の第２実施形態を示す平面図、図３は本発明の第３実施形態を示す平面図、図４は本発明の第４実施形態を示す平面図、図５は切目線の端部の他の形状を示す部分平面図、図６は積層体の構成を示す断面図、図７は積層体の他の構成を示す断面図、図８は積層体の更に他の構成を示す断面図であって、２は側端熱接着部、３，７は端縁熱接着部、６は合掌熱接着部、４は切込、５は切目線、5aは二股状切目、ｄは二股の広がり幅、11はプラスチック層、12，14，16は接着層、13はアルミニウム箔層、15はレーザー吸収層、17は熱接着性樹脂層をそれぞれ表す。
【０００８】
本発明の第１実施形態は、図１に示すとおりであり、レーザー吸収層と熱接着性樹脂層を有する積層体からなり、対向する側端熱接着部２および端縁熱接着部３により接着された４方シール袋であって、両側の側端熱接着部２の内端間に側端熱接着部２の方向と直角方向に延びる、両端部が外側に向かって広がる二股状切目5aとされた直線状の切目線５が形成され、二股状切目5aの二股の広がり幅ｄ内に入るようにそれぞれ側端熱接着部２の端縁に積層体を貫通する切込４が形成された構成である。
【０００９】
本発明の第２実施形態は、図２に示すとおりであり、レーザー吸収層と熱接着性樹脂層を有する積層体からなり、対向する側端熱接着部２および端縁熱接着部３により接着された４方シール袋であって、両側の側端熱接着部２の外端間に側端熱接着部２の方向と直角方向に延びる、両端部が外側に向かって広がる二股状切目5aとされた直線状の切目線５が形成され、二股状切目5aの二股の広がり幅ｄ内に入るようにそれぞれ側端熱接着部２の端縁に積層体を貫通する切込４が形成された構成である。
【００１０】
本発明の第３実施形態は、図３に示すとおりであり、レーザー吸収層と熱接着性樹脂層を有する積層体からなり、対向する側端熱接着部２および端縁熱接着部３により接着された４方シール袋であって、一方の側端熱接着部２の内端と一方の端縁熱接着部３の内端間に斜め方向に延びる、両端部が外側に向かって広がる二股状切目5aとされた直線状の切目線５が形成され、二股状切目5aの二股の広がり幅ｄ内に入るようにそれぞれ側端熱接着部２の端縁および端縁熱接着部３の端縁に積層体を貫通する切込４が形成された構成である。第３実施形態の場合は、包装袋の角部を斜めに切り取って開封することができるので、流動性のある内容物の包装に適した袋となる。
【００１１】
本発明の第４実施形態は、図４に示すとおりであり、レーザー吸収層と熱接着性樹脂層を有する積層体からなり、合掌熱接着部６と上下の端縁熱接着部７により接着されたピロータイプ袋であって、合掌熱接着部６の方向と直角方向に延びる、端部が二股状切目5aとされた直線状の切目線５が形成され、二股状切目5aの二股の広がり幅ｄ内に入るように合掌熱接着部６の端縁に積層体を貫通する切込４が形成された構成である。第４実施形態の場合、切目線５を袋の合掌熱接着部６の方向と直角方向に全周にわたって形成してもよいし、切目線５を合掌熱接着部６のある片面側のみに形成するようにしてもよい。また、切目線５を合掌熱接着部６の方向に対して上側の端縁熱接着部７側に斜めに形成してもよい。
【００１２】
第１〜３実施形態において、切込４の形成される位置が二股状切目5aの二股の広がり幅ｄ内に入っていれば、切込４の形成される位置に多少のズレが生じた場合でも、切込４の箇所から側端熱接着部２または合掌熱接着部６の方向と直角方向に積層体を引き裂くと、裂け目が二股状切目5aに達した時点で二股状切目5aに沿って引き裂かれとともに、次いで直線状の切目線５に沿って引き裂くことができるので、包装袋を切目線５に沿って簡単に開封できるものである。
【００１３】
切目線５の端部の二股状切目5aの形状としては、図１〜図４に示す枝分かれした形状以外に、図５（イ）に示すような外側に向かってＶ字状に広がる二股状、図５（ロ）に示すような外側に向かって半円形状に広がる二股状とすることもできる。二股状切目5aの形状は端縁が外側に向かって広がる二股状になっていれば形状は任意である。二股状切目5aの二股の広がり幅ｄは５〜１０ｍｍ程度とするのが好ましい。図５では二股状切目5aの端縁が熱接着部の内端より内側に位置する構成としているが、第２実施形態のように二股状切目5aの端縁が熱接着部の外端に達するように形成してもよい。
【００１４】
第１〜３実施形態においては袋の形状が４方シール袋とされており、第４実施形態においてはフラットなピロータイプ袋とされているが、袋の形状は任意であり、３方シール袋、底部をＶ字状に内側に折り込んだ自立性袋、ガセットピロータイプ袋等とすることができる。
【００１５】
本発明の易開封性包装袋に使用する積層体としては、外面から順にプラスチック層11と接着層12とアルミニウム箔層13と接着層14とレーザー吸収層15と接着層16と熱接着性樹脂層17が積層された図６に示す構成、外面から順にレーザー吸収層15と接着層12とアルミニウム箔層13と接着層14と熱接着性樹脂層17が積層された図７に示す構成、外面から順にプラスチック層11と接着層12とレーザー吸収層15と接着層16と熱接着性樹脂層17が積層された図８に示す構成のものが使用できる。図６、図８に示す積層体の場合には内面側から、図７に示す積層体の場合には外面側からそれぞれレーザーを照射することによりレーザー吸収層15に切目線５を形成することができる。図６に示す積層体ではレーザー吸収層15がアルミニウム箔層13の内面側にあり、レーザー吸収層15に形成された切目線５が外面から目立たないので意匠性が損なわれない包装袋とすることができる。
【００１６】
図６、図８に示す構成の積層体のように、レーザー吸収層15が熱接着性樹脂層17に隣接して形成されている構成の場合は、レーザー吸収層15に切目が形成されると切目が形成された部分が切目に沿って凹状の溝となるため、第２実施形態のように、二股状切目5aが包装袋の端縁に達するように形成された構成では、切目に沿って凹状に形成される溝が外部と連通する状態となり、包装袋のガスバリヤー性を低下させるおそれがあるので、二股状切目5aの端縁が熱接着部の内端より内側に位置するように形成するのが好ましい。
【００１７】
積層体を構成するレーザー吸収層15としては２軸延伸ポリエチレンテレフタレート、２軸延伸ナイロン、ポリカーボネート等が使用でき、これらのフィルムは波長が１０．６μｍの炭酸ガスレーザーを吸収するので、炭酸ガスレーザーを集光してこれらのフィルム面に照射することより、フィルムの照射された部分が発熱・溶融・ミスト化、或いは発熱・分解・灰化などにより除去して切目線を形成することができる。図６、図８に示す構成の積層体の場合は内面側から、図７に示す構成の積層体の場合は外面側から、波長が１０．６μｍの炭酸ガスレーザーを、出力５０Ｗ、繰り返し２００μ秒、パルス巾１００μ秒、スキャンスピード１０００〜２０００ｍｍ／秒の条件にて照射するとにより、レーザー吸収層15に切目線５を形成することができる。
【００１８】
積層体を構成するプラスチック層11としては２軸延伸ポリエチレンテレフタレート、２軸延伸ポリプロピレン、２軸延伸ナイロン等が使用でき、熱接着性樹脂層17としては、低密度ポリエチレン、中密度ポリエチレン、高密度ポリエチレン、線状低密度ポリエチレン、エチレン−酢酸ビニル共重合体、ポリプロピレン、エチレン−プロピレン共重合体等が使用でき、接着層12,14,16としてはウレタン系樹脂、低密度ポリエチレン等が使用できる。これらのフィルムは炭酸ガスレーザーを余り吸収しない性質を有しているので炭酸ガスレーザーの照射により切目線は形成されない。
【００１９】
図６に示す積層体としては、２軸延伸ポリエチレンテレフタレート（ＰＥＴ）／押出ポリエチレン（ＥＣ）／アルミニウム箔（ＡＬ）／ＥＣ／ＰＥＴ／ＥＣ／ポリエチレン（ＰＥ）、２軸延伸ポリプロピレン（ＯＰＰ）／ＥＣ／ＡＬ／ＥＣ／ＰＥＴ／ＥＣ／ＰＥ、ＰＥＴ／ＥＣ／ＡＬ／ＥＣ／２軸延伸ナイロン（ＯＮ）／ＥＣ／ＰＥ等であり、図７に示す積層体としては、ＰＥＴ／ドライラミネーション（ＤＬ）／ＡＬ／ＤＬ／ＰＥ、ＯＮ／ＤＬ／ＡＬ／ＤＬ／ＰＥ等であり、図８に示す積層体としては、ＯＰＰ／ＤＬ／ＯＮ／ＥＣ／ＰＥ、ＰＥＴ／ＤＬ／ＯＮ／ＤＬ／ポリプロピレン（ＰＰ）、ＯＰＰ／ＤＬ／ＰＥＴ／ＤＬ／ＰＥ、ＰＥＴ／ＤＬ／ＰＥＴ／ＤＬ／ＰＥ等である。下線を付したレーザー吸収層15に切目線が形成される。
【００２０】
【発明の効果】
レーザー吸収層と熱接着性樹脂層を有する積層体からなり側端熱接着部と端縁熱接着部により形成された包装袋であって、積層体のレーザー吸収層に２箇所の熱接着部間を結ぶ開封用の切目線が形成され、切目線の端部が外側に向かって開く二股状切目とされ、少なくとも一方の熱接着部の開封を開始する端縁に切込が形成され、切込が二股状切目の二股の広がり幅内に入るように形成された構成とすることにより、切目線と切込の位置にズレが生じた場合でも、そのズレが二股状切目の二股の広がり幅内であれば、切込の箇所から熱接着部を引き裂き、裂け目が二股状切目と交差した部分から切目線に沿って引き裂くことができるので、４方シール袋ないしは３方シール袋を１辺に沿って切り取り開封するか、ないしは角部を斜めに切り取って開封するすることができる。
【００２１】
レーザー吸収層と熱接着性樹脂層を有する積層体からなり合掌熱接着部と端縁熱接着部により形成された包装袋であって、積層体のレーザー吸収層に合掌熱接着部と交差する方向に延びる開封用の切目線が形成され、切目線の端部が外側に向かって開く二股状切目とされ、合掌熱接着部の開封を開始する端縁に切込が形成され、切込が二股状切目の二股の広がり幅内に入るように形成された構成とすることにより、切目線と切込の位置にズレが生じた場合でも、そのズレが二股状切目の二股の広がり幅内であれば、切込の箇所から合掌熱接着部を引き裂き、裂け目が二股状切目と交差した部分から切目線に沿って引き裂くことができる。したがって、ピロータイプ袋を合掌熱接着部の切込の箇所から引き裂きを開始して合掌熱接着部と交差する方向に開封することができる。
【００２２】
上記易開封性包装袋において、二股状切目の端縁が切込が形成された熱接着部の内端よりも内側に位置するように形成された構成とすることにより、熱接着部に二股状切目が形成されないので、積層体のレーザー吸収層が熱接着性樹脂層に隣接して積層され、レーザー吸収層に切目が形成されることにより切目の部分が凹溝となって外部と連通する隙間が出やすい積層体の構成であっても、包装袋のガスバリヤー性が低下することがない。
【図面の簡単な説明】
【図１】本発明の第１実施形態を示す平面図。
【図２】本発明の第２実施形態を示す平面図。
【図３】本発明の第３実施形態を示す平面図。
【図４】本発明の第４実施形態を示す平面図。
【図５】切目線の端縁の他の形状を示す部分平面図。
【図６】積層体の構成を示す断面図。
【図７】積層体の他の構成を示す断面図。
【図８】積層体の更に他の構成を示す断面図。
【符号の説明】
２  側端熱接着部                  11  プラスチック層
３，７  端縁熱接着部              12，14，16  接着層
４  切込                          13  アルミニウム箔層
５  切目線                        15  レーザー吸収層
5a  二股状切目                    17  熱接着性樹脂層
６  合掌熱接着部
ｄ  二股の広がり幅
【図１】
0004372973.tif 000002
【図２】
0004372973.tif 000003
【図３】
0004372973.tif 000004
【図４】
0004372973.tif 000005
【図５】
0004372973.tif 000006
【図６】
0004372973.tif 000007
【図７】
0004372973.tif 000008
【図８】
0004372973.tif 000009